(57)【要約】【課題】画像形成装置のメインスイッチのオン・オフに関わりなく、帯電部材に流れる電流値を所定のタイミングで制御することによって、白点画像の発生を確実に防止しつつ、感光体ドラム表面の磨耗を抑制することが可能な画像形成装置を提供することを課題とする。【解決手段】像担持体の表面を、当該像担持体の表面に接触して回転する帯電用回転部材によって帯電することによって、画像を形成する画像形成装置において、前記像担持体上に画像を形成する画像形成動作開始信号が出力されてからの経過時間に応じて、前記帯電用回転部材に通電する電流値を制御する電流値制御手段を備えるように構成して課題を解決した。【選択図】図１
2007108493.tif 000002
【特許請求の範囲】
【請求項１】
像担持体の表面を、当該像担持体の表面に接触して回転する帯電用回転部材によって帯電することによって、画像を形成する画像形成装置において、
前記像担持体上に画像を形成する画像形成動作開始信号が出力されてからの経過時間に応じて、前記帯電用回転部材に通電する電流値を制御する電流値制御手段を備えたことを特徴とする画像形成装置。
【請求項２】
前記画像形成動作開始信号が出力されてからの経過時間は、画像形成動作開始信号が出力された時刻と、現在の時刻との差を計測することによって求められることを特徴とする請求項１に記載の画像形成装置。
【請求項３】
前記電流値制御手段は、前記画像形成動作開始信号が出力されてからの経過時間が、所定値以上となった場合には、前記帯電用回転部材に印加する電流値を下げる制御を行なうことを特徴とする請求項１又は２に記載の画像形成装置。
【請求項４】
前記電流値制御手段は、前記画像形成動作開始信号が出力されてからの経過時間が、所定値以上となった場合には、前記帯電用回転部材に印加する電流値を初期の電流値に戻す制御を行なうことを特徴とする請求項１又は２に記載の画像形成装置。
【請求項５】
前記帯電用回転部材に通電する電流値を次第に増加させていった場合であっても、当該帯電用回転部材によって帯電される像担持体の帯電電位が一定となる肩電流値を検知する肩電流値検知手段を備え、
前記電流値制御手段は、前記肩電流値検知手段の検知結果に応じて、前記帯電用回転部材に印加する電流値を制御することを特徴とする請求項１乃至４のいずれかに記載の画像形成装置。
【請求項６】
前記画像形成装置が設置された環境の温度及び湿度の少なくとも一方を検知する環境検知手段を備え、
前記電流値制御手段は、前記環境検知手段の検知結果に応じて、前記帯電用回転部材に印加する電流値を制御することを特徴とする請求項１乃至５のいずれかに記載の画像形成装置。
【発明の詳細な説明】
【技術分野】
【０００１】
この発明は、電子写真方式等を採用したプリンタや複写機、ファクシミリ、あるいはこれらの機能を兼ね備えた複合機等の画像形成装置に関し、特に、像担持体の表面を帯電する帯電手段に通電する電流値を制御することによって、像担持体の磨耗を低減することを可能とした画像形成装置に関するものである。
【背景技術】
【０００２】
【特許文献１】特許第３５５４６４５号公報
【０００３】
従来、この種の電子写真方式等を採用したプリンタや複写機、ファクシミリ、あるいはこれらの機能を兼ね備えた複合機等の画像形成装置においては、感光体ドラム等の像担持体の表面を、帯電手段としての帯電ロールによって帯電した後、当該感光体ドラムの表面に画像露光を施して静電潜像を形成し、この静電潜像を現像装置により顕像化してトナー像を形成し、当該トナー像を転写材上に転写・定着することによって、画像を形成するように構成されている。
【０００４】
ところで、上記感光体ドラムの表面を帯電ロールによって帯電する際には、当該帯電ロールに印加する交流電圧を制御するように構成されており、この帯電ロールに印加する交流電圧の制御は、帯電ロールに流れる交流電流が一定となるような定電流制御が行なわれている。この定電流制御を行なう場合には、帯電ロールの帯電によって感光体ドラム上に形成された画像に、白点が発生しないように、当該帯電ロールに通電される電流値が設定されている。
【０００５】
上記感光体ドラムは、帯電ロールによって所定の電位に一様に帯電された後、画像露光が施されて画像が形成されるが、当該帯電ロールに通電される交流電流が不十分であると、図１０に示すように、例えば、濃度が３０％〜５０％程度の一様なハーフトーンの画像を形成した場合に、画像中に白点が発生することになる。
【０００６】
この白点が発生しない電流値は、図５に示すように、通常、感光体ドラムの帯電電位が一定になる電流値よりも高い値であることが知られている。
【０００７】
一方、上記画像形成装置では、特に低温低湿環境下において、初期的には帯電ロールの抵抗値が高いのに対して、連続して画像を出力すると、装置内の温度が上昇するために、帯電ロールの抵抗値が低下し、定電流制御で制御された電流値では、帯電ロールに過剰な放電が発生して、感光体ドラム表面の磨耗が促進されるという問題点を有していた。
【０００８】
そこで、かかる問題点を解決し得る技術としては、例えば、特許第３５５４６４５号公報に開示された技術が既に提案されている。
【０００９】
この特許第３５５４６４５号公報に係る画像形成装置は、電源をオン・オフするメインスイッチと、回転する感光体と、該感光体に接触した状態で電圧が印加されることにより前記感光体を帯電する帯電部材と、該帯電部材の表面温度又はその表面付近の温度を検知する温度検知手段と、該温度検知手段が検知した検知温度に応じて前記帯電部材に印加する印加電圧を制御する印加電圧制御手段とを備えた画像形成装置において、前記検知温度を記憶する記憶手段と、前記メインスイッチがオフされた後に再びオンされたときには前記オフされていた時間が所定時間以下のときは前記メインスイッチのオン直後に前記温度検知手段が検知した検知温度と前記記憶手段に記憶されているメインスイッチがオフされる直前の検知温度との温度差が所定の温度以上であるときには前記印加電圧を前記温度差に応じて補正し、該補正を前記メインスイッチがオンされてから所定時間経過するまで、あるいは所定の枚数の画像形成が行なわれるまで実行し、その後は解除する印加電圧補正手段とを設けるように構成したものである。
【発明の開示】
【発明が解決しようとする課題】
【００１０】
しかしながら、上記従来技術の場合には、次のような問題点を有している。すなわち、上記特許第３５５４６４５号公報に係る画像形成装置の場合には、当該画像形成装置の電源をオン・オフするメインスイッチに連動して、帯電部材に印加する電圧を印加電圧補正手段によって補正するように構成したものであるため、メインスイッチを一旦オン状態とした後に、当該メインスイッチをオン・オフすることなく、連続して多数枚の用紙に画像を形成するジョブなどを実行する場合には、帯電部材に印加する電圧が補正されないため、過剰放電によって感光体ドラムの表面が磨耗されるのを抑制することができないという問題点を依然として有していた。
【００１１】
そこで、この発明は、上記従来技術の問題点を解決するためになされたものであり、その目的とするところは、画像形成装置のメインスイッチのオン・オフに関わりなく、帯電部材に流れる電流値を所定のタイミングで制御することによって、白点画像の発生を確実に防止しつつ、感光体ドラム表面の磨耗を抑制することが可能な画像形成装置を提供することにある。
【課題を解決するための手段】
【００１２】
すなわち、請求項１に記載された発明は、像担持体の表面を、当該像担持体の表面に接触して回転する帯電用回転部材によって帯電することによって、画像を形成する画像形成装置において、前記像担持体上に画像を形成する画像形成動作開始信号が出力されてからの経過時間に応じて、前記帯電用回転部材に通電する電流値を制御する電流値制御手段を備えるように構成したものである。
【００１３】
また、請求項２に記載された発明は、前記画像形成動作開始信号が出力されてからの経過時間は、画像形成動作開始信号が出力された時刻と、現在の時刻との差を計測することによって求められることを特徴とする請求項１に記載の画像形成装置である。
【００１４】
さらに、請求項３に記載された発明は、前記電流値制御手段は、前記画像形成動作開始信号が出力されてからの経過時間が、所定値以上となった場合には、前記帯電用回転部材に印加する電流値を下げる制御を行なうことを特徴とする請求項１又は２に記載の画像形成装置である。
【００１５】
又、請求項４に記載された発明は、前記電流値制御手段は、前記画像形成動作開始信号が出力されてからの経過時間が、所定値以上となった場合には、前記帯電用回転部材に印加する電流値を初期の電流値に戻す制御を行なうことを特徴とする請求項１又は２に記載の画像形成装置である。
【００１６】
更に、請求項５に記載された発明は、前記帯電用回転部材に通電する電流値を次第に増加させていった場合であっても、当該帯電用回転部材によって帯電される像担持体の帯電電位が一定となる肩電流値を検知する肩電流値検知手段を備え、前記電流値制御手段は、前記肩電流値検知手段の検知結果に応じて、前記帯電用回転部材に印加する電流値を制御することを特徴とする請求項１乃至４のいずれかに記載の画像形成装置である。
【００１７】
また、請求項６に記載された発明は、前記画像形成装置が設置された環境の温度及び湿度の少なくとも一方を検知する環境検知手段を備え、前記電流値制御手段は、前記環境検知手段の検知結果に応じて、前記帯電用回転部材に印加する電流値を制御することを特徴とする請求項１乃至５のいずれかに記載の画像形成装置である。
【発明の効果】
【００１８】
この発明によれば、画像形成装置のメインスイッチのオン・オフに関わりなく、帯電部材に流れる電流値を所定のタイミングで制御することによって、白点画像の発生を確実に防止しつつ、感光体ドラム表面の磨耗を抑制することが可能な画像形成装置を提供することができる。
【発明を実施するための最良の形態】
【００１９】
以下に、この発明の実施の形態について図面を参照して説明する。
【００２０】
実施の形態１
図２はこの発明の実施の形態１に係る画像形成装置としてのタンデム型のデジタルカラー複写機を示すものである。
【００２１】
図２において、１はタンデム型のデジタルカラー複写機の本体を示すものであり、このデジタルカラー複写機本体１の一端側の上部には、原稿２を１枚ずつ分離した状態で自動的に搬送する自動原稿搬送装置（ＡＤＦ）３と、当該自動原稿搬送装置３によって搬送される原稿２の画像を読み取る原稿読取装置４が配設されている。この原稿読取装置４は、プラテンガラス５上に載置された原稿２を光源６によって照明し、原稿２からの反射光像を、フルレートミラー７及びハーフレートミラー８、９及び結像レンズ１０からなる縮小光学系を介してＣＣＤ等からなる画像読取素子１１上に走査露光して、この画像読取素子１１によって原稿２の色材反射光像を所定のドット密度（例えば、１６ドット／ｍｍ）で読み取るようになっている。
【００２２】
上記原稿読取装置４によって読み取られた原稿２の色材反射光像は、例えば、赤（Ｒ）、緑（Ｇ）、青（Ｂ）（各８ｂｉｔ）の３色の原稿反射率データとしてＩＰＳ１２（Ｉｍａｇｅ  Ｐｒｏｃｅｓｓｉｎｇ  Ｓｙｓｔｅｍ）に送られ、このＩＰＳ１２では、原稿２の反射率データに対して、シェーデイング補正、位置ズレ補正、明度／色空間変換、ガンマ補正、枠消し、色／移動編集等の所定の画像処理が施される。
【００２３】
そして、上記の如くＩＰＳ１２で所定の画像処理が施された画像データは、イエロー  （Ｙ）、マゼンタ（Ｍ）、シアン（Ｃ）、黒（Ｋ）（各８ｂｉｔ）の４色の原稿色材階調データに変換され、次に述べるように、イエロー（Ｙ）、マゼンタ（Ｍ）、シアン（Ｃ）、黒（Ｋ）の各色の画像形成ユニット１３Ｙ、１３Ｍ、１３Ｃ、１３ＫのＲＯＳ１４Ｙ、１４Ｍ、１４Ｃ、１４Ｋ（Ｒａｓｔｅｒ  Ｏｕｔｐｕｔ  Ｓｃａｎｎｅｒ）に送られ、これらのＲＯＳ１４Ｙ、１４Ｍ、１４Ｃ、１４Ｋでは、所定の色の原稿色材階調データに応じてレーザー光による画像露光が行われる。
【００２４】
ところで、上記タンデム型のデジタルカラー複写機本体１の内部には、イエロー（Ｙ）、マゼンタ（Ｍ）、シアン（Ｃ）、黒（Ｋ）の４つの画像形成ユニット１３Ｙ、１３Ｍ、１３Ｃ、１３Ｋが、水平方向に一定の間隔をおいて並列的に配置されている。
【００２５】
これらの４つの画像形成ユニット１３Ｙ、１３Ｍ、１３Ｃ、１３Ｋは、すべて同様に構成されており、大別して、矢印方向に沿って所定の回転速度で回転する感光体ドラム１５と、この感光体ドラム１５の表面を一様に帯電する帯電用回転部材としての帯電ロール１６と、当該感光体ドラム１５の表面に各色に対応した画像を露光して静電潜像を形成するＲＯＳ１４と、感光体ドラム１５上に形成された静電潜像を現像する現像器１７、クリーニング装置１８とから構成されている。
【００２６】
上記ＲＯＳ１４は、図２に示すように、半導体レーザー１９を原稿色材階調データに応じて変調して、この半導体レーザー１９からレーザー光ＬＢを階調データに応じて出射する。この半導体レーザー１９から出射されたレーザー光ＬＢは、反射ミラー２０、２１を介して回転多面鏡２２によって偏向走査され、再び反射ミラー２０、２１及び複数枚の反射ミラー２３、２４を介して像担持体としての感光体ドラム１５上に走査露光される。
【００２７】
上記ＩＰＳ１２からは、イエロー（Ｙ）、マゼンタ（Ｍ）、シアン（Ｃ）、黒（Ｋ）の各色の画像形成ユニット１３Ｙ、１３Ｍ、１３Ｃ、１３ＫのＲＯＳ１４Ｙ、１４Ｍ、１４Ｃ、１４Ｋに各色の画像データが順次出力され、これらのＲＯＳ１４Ｙ、１４Ｍ、１４Ｃ、１４Ｋから画像データに応じて出射されるレーザービームＬＢが、それぞれの感光体ドラム１５Ｙ、１５Ｍ、１５Ｃ、１５Ｋの表面に走査露光されて静電潜像が形成される。上記各感光体ドラム１５Ｙ、１５Ｍ、１５Ｃ、１５Ｋに形成された静電潜像は、現像器１７Ｙ、１７Ｍ、１７Ｃ、１７Ｋによって、それぞれ黒（Ｋ）、イエロー（Ｙ）、マゼンタ  （Ｍ）、シアン（Ｃ）の各色のトナー像として現像される。
【００２８】
上記各画像形成ユニット１３Ｙ、１３Ｍ、１３Ｃ、１３Ｋの感光体ドラム１５Ｙ、１５Ｍ、１５Ｃ、１５Ｋ上に、順次形成されたイエロー（Ｙ）、マゼンタ（Ｍ）、シアン（Ｃ）、黒（Ｋ）の各色のトナー像は、各画像形成ユニット１３Ｙ、１３Ｍ、１３Ｃ、１３Ｋの下方に配置された中間転写ベルト２５上に、一次転写ロール２６Ｙ、２６Ｍ、２６Ｃ、２６Ｋによって多重に転写される。この転写ベルト２５は、ドライブロール２７と、ストリッピングロール２８と、ステアリングロール２９と、アイドルロール３０と、バックアップロール３１と、アイドルロール３２との間に一定のテンションで掛け回されており、図示しない定速性に優れた専用の駆動モーターによって回転駆動されるドライブロール２７により、矢印方向に所定の速度で循環駆動されるようになっている。上記転写ベルト２５としては、例えば、可撓性を有するＰＥＴ等の合成樹脂フィルムを帯状に形成し、この帯状に形成された合成樹脂フィルムの両端を溶着等の手段によって接続することにより、無端ベルト状に形成したものが用いられる。
【００２９】
上記転写ベルト２５上に多重に転写されたイエロー（Ｙ）、マゼンタ（Ｍ）、シアン  （Ｃ）、黒（Ｋ）の各色のトナー像は、バックアップロール３１に圧接する２次転写ロール３３によって、圧接力及び静電気力で転写用紙３４上に２次転写され、この各色のトナー像が転写された転写用紙３４は、２連の搬送ベルト３５、３６によって定着器３７へと搬送される。そして、上記各色のトナー像が転写された転写用紙３４は、定着器３７によって熱及び圧力で定着処理を受け、複写機本体１の外部に設けられた排出トレイ３８上に排出される。
【００３０】
上記転写用紙３４は、図２に示すように、複数の給紙カセット３９、４０、４１のうちの何れかから所定のサイズのものが、給紙ローラ４２及び用紙搬送用のローラ対４３、４４、４５からなる用紙搬送経路４６を介して、レジストロール４６まで一旦搬送される。上記給紙カセット３９、４０、４１のうちの何れかから供給された転写用紙３４は、所定のタイミングで回転駆動されるレジストロール４６によって中間転写ベルト２５上へ送出される。
【００３１】
図３は上記デジタルカラー複写機の各画像形成ユニットを示すものである。
【００３２】
上記イエロー色、マゼンタ色、シアン色及び黒色の４つの画像形成ユニット１３Ｙ、１３Ｍ、１３Ｃ、１３Ｋは、図３に示すように、すべて同様に構成されており、これら４つの画像形成ユニット１３Ｙ、１３Ｍ、１３Ｃ、１３Ｋでは、上述したように、それぞれイエロー色、マゼンタ色、シアン色及び黒色のトナー像が所定のタイミングで順次形成されるように構成されている。上記各色の画像形成ユニット１３Ｙ、１３Ｍ、１３Ｃ、１３Ｋは、上述したように、感光体ドラム１５Ｙ、１５Ｍ、１５Ｃ、１５Ｋを備えており、これらの感光体ドラム１５Ｙ、１５Ｍ、１５Ｃ、１５Ｋの表面は、帯電用回転部材としての帯電ロール１６Ｙ、１６Ｍ、１６Ｃ、１６Ｋによって一様に帯電される。これらの帯電ロール１６Ｙ、１６Ｍ、１６Ｃ、１６Ｋは、ステンレス等の金属からなる芯金５０の外周に導電性の弾性体層５１を被覆して構成されている。また、上記帯電ロール１６Ｙ、１６Ｍ、１６Ｃ、１６Ｋには、高圧電源回路によって所定の交流の高電圧が印加されているとともに、電流検出回路によって帯電ロール１６Ｙ、１６Ｍ、１６Ｃ、１６Ｋに流れる交流電流が検出されるようになっている。そして、上記帯電ロール１６Ｙ、１６Ｍ、１６Ｃ、１６Ｋには、電流値制御手段としての電流値制御回路によって流れる交流電流値が所定の値となるように制御されるように構成されている。
【００３３】
上記感光体ドラム１５Ｙ、１５Ｍ、１５Ｃ、１５Ｋの表面は、帯電ロール１６Ｙ、１６Ｍ、１６Ｃ、１６Ｋによって一様に帯電された後、ＲＯＳ１４Ｙ、１４Ｍ、１４Ｃ、１４Ｋから画像データに応じて出射される像形成用のレーザービームＬＢが走査露光されて、各色に対応した静電潜像が形成される。上記感光体ドラム１５Ｙ、１５Ｍ、１５Ｃ、１５Ｋの表面に形成された静電潜像は、各画像形成ユニット１３Ｙ、１３Ｍ、１３Ｃ、１３Ｋの現像器１７Ｙ、１７Ｍ、１７Ｃ、１７Ｋの現像ロール５５によってそれぞれイエロー色、マゼンタ色、シアン色、黒色の各色のトナーにより現像されて可視トナー像となり、これらの可視トナー像は、転写ロール２６Ｙ、２６Ｍ、２６Ｃ、２６Ｋの帯電により中間転写ベルト２５上に順次多重に転写される。
【００３４】
なお、上記感光体ドラム１５Ｙ、１５Ｍ、１５Ｃ、１５Ｋは、トナー像の転写工程が終了した後、クリーニング前コロトロン５６Ｙ、５６Ｍ、５６Ｃ、５６Ｋによって除電されるとともに、クリーニング装置１８Ｙ、１８Ｍ、１８Ｃ、１８Ｋによって残留トナーや紙粉等が除去され、更にイレーズランプ５７Ｙ、５７Ｍ、５７Ｃ、５７Ｋによって残留電荷が消去されて、次の画像形成プロセスに備える。上記クリーニング装置１８Ｙ、１８Ｍ、１８Ｃ、１８Ｋは、クリーニングブラシ５８と、クリーナーブレード５９とを備えており、これらのクリーニングブラシ５８やクリーナーブレード５９によって、感光体ドラム１５上の残留トナーや紙粉等を除去するようになっている。
【００３５】
ところで、この実施の形態では、像担持体の表面を、当該像担持体の表面に接触して回転する帯電用回転部材によって帯電することによって、画像を形成する画像形成装置において、前記像担持体上に画像を形成する画像形成動作開始信号が出力されてからの経過時間に応じて、前記帯電用回転部材に通電する電流値を制御する電流値制御手段を備えるように構成されている。
【００３６】
また、この実施の形態では、前記画像形成動作開始信号が出力されてからの経過時間は、画像形成動作開始信号が出力された時刻と、現在の時刻との差を計測することによって求められるように構成されている。
【００３７】
さらに、この実施の形態では、前記電流値制御手段は、前記画像形成動作開始信号が出力されてからの経過時間が、所定値以上となった場合には、前記帯電用回転部材に印加する電流値を下げる制御を行なうように構成されている。
【００３８】
すなわち、この実施の形態では、図１に示すように、各画像形成ユニット１３の帯電ロール１６に、高圧電源回路１０１によって所定の交流の高電圧がそれぞれ印加されているとともに、電流検出回路１０２によって帯電ロール１６Ｙ、１６Ｍ、１６Ｃ、１６Ｋに流れる交流電流が検出されるようになっている。そして、上記帯電ロール１６Ｙ、１６Ｍ、１６Ｃ、１６Ｋには、電流値制御手段としてのＣＰＵ１００によって流れる交流電流値が所定の値となるように制御されるように構成されている。
【００３９】
また、上記ＣＰＵ１００には、コピー開始信号やプリント開始信号が入力されているとともに、当該コピー開始信号１０４やプリント開始信号１０５が入力されてからの時間を計測する計時回路１０３が接続されている。さらに、上記感光体ドラム１５の表面近傍には、当該感光体ドラム１５の表面電位を検知する表面電位計１０６が、画像露光位置の下流側に配設されている。
【００４０】
なお、図１中、符号６０は中間転写ベルト２５の表面をクリーニングするクリーニング装置を示しており、このクリーニング装置６０は、クリーニングブレード６０ａと、クリーニングブラシ６０ｂとから構成されている。
【００４１】
以上の構成において、この実施の形態に係るタンデム型のデジタルカラー複写機では、次のようにして、画像形成装置のメインスイッチのオン・オフに関わりなく、帯電部材に流れる電流値を所定のタイミングで制御することによって、白点画像の発生を確実に防止しつつ、感光体ドラム表面の磨耗を抑制することが可能となっている。
【００４２】
すなわち、上記タンデム型のデジタルカラー複写機では、図４に示すように、朝一番等において、装置の電源がＯＮされるか、所定のプロセスコントロールサイクル、又はレジストコントロールサイクルになると（ステップ１０１）、ＣＰＵ１００は、次のような動作を実行する。なお、このＣＰＵ１００の制御動作は、各画像形成ユニット１３Ｙ、１３Ｍ、１３Ｃ、１３Ｋの帯電ロール１６Ｙ、１６Ｍ、１６Ｃ、１６Ｋに対して同様に実行されるが、ここでは、１つの画像形成ユニット１３の帯電ロール１６について説明する。
【００４３】
上記ＣＰＵ１００は、感光体ドラム１５を回転させた状態で、図５に示すように、帯電ロール１６に通電する交流の電流値Ｉａｃを徐々に増加させていくとともに、感光体ドラム１５の表面電位を表面電位計１０６によって計測する。そして、上記ＣＰＵ１００は、帯電ロール１６に通電する交流の電流値Ｉａｃと、感光体ドラム１５の表面電位との関係から、当該帯電ロール１６に通電する交流の電流値Ｉａｃを増加させた場合でも、感光体ドラム１５の表面電位が一定となる肩電流値（Ｉｓｈ）を計測するようになっている（ステップ１０２）。
【００４４】
次に、上記ＣＰＵ１００は、上記の如くして求めた肩電流値（Ｉｓｈ）に所定の係数  （例えば、１．０５）を乗算した値を、帯電ロール１６に通電する交流の電流値Ｉａｃとして求めるとともに、当該肩電流値（Ｉｓｈ）に所定の係数（例えば、１．０５）を乗算した値を、初期電流値Ｉａｃ  ｉｎｉｔｉｌとして設定する（ステップ１０２）。
【００４５】
その後、上記ＣＰＵ１００は、複写動作やプリント動作を開始するにあたって、例えば、複数枚の原稿２を自動原稿搬送装置（ＡＤＦ）３にセットした状態で、ユーザーによって図示しないコピーボタンが押されて、コピー開始信号が出力されるか、又は当該デジタルカラー複写機が接続されたパーソナルコンピュータ等からプリントジョブがプリント開始信号とともに送信されてくると（ステップ１０３）、計時回路１０３によってコピー開始信号１０４が出力された時刻、又はプリント開始信号１０５を受信したジョブの出力時刻を受け取り、当該ジョブの出力時刻をＴ１として設定する（ステップ１０４）。
【００４６】
次に、上記ＣＰＵ１００は、計時回路１０３によって計測された現在の時刻から、ジョブの出力時刻をＴ１を減算して、ジョブが出力された時刻Ｔ１から現在までの経過時間ΔＴを求める（ステップ１０５）。さらに、上記ＣＰＵ１００は、ジョブが出力された時刻Ｔ１から現在までの経過時間ΔＴが、所定の時刻差Ｔａ以下か否か、且つ帯電ロール１６に流れる交流電流値Ｉａｃが所定の電流値Ｉａｃ１以上であるか否かを判別する（ステップ１０６）。
【００４７】
そして、上記ＣＰＵ１００は、ジョブが出力された時刻Ｔ１から現在までの経過時間ΔＴが、所定の時刻差Ｔａ以下であり、且つ帯電ロール１６に流れる交流電流値Ｉａｃが所定の電流値Ｉａｃ１以上である場合には、帯電ロール１６に通電する交流の電流値Ｉａｃを、交流の電流値Ｉａｃから所定値Ｉａｃ２だけ減算した値に設定して（ステップ１０７）、プリント動作を実行する（ステップ１０８）。
【００４８】
このように、ジョブが出力された時刻Ｔ１から現在までの経過時間ΔＴが、所定の時刻差Ｔａ以下であり、且つ帯電ロール１６に流れる交流電流値Ｉａｃが所定の電流値Ｉａｃ１以上である場合には、帯電ロール１６に通電する交流の電流値Ｉａｃを、所定の電流値Ｉａｃよりも低い値に設定することによって、図６に示すように、帯電ロール１６に通電する交流の電流値Ｉａｃを、連続して画像形成したときに白点が発生するのを防止できる値に設定することが可能となる。
【００４９】
一方、上記ＣＰＵ１００は、ジョブが出力された時刻Ｔ１から現在までの経過時間ΔＴが、所定の時刻差Ｔａ以下でない場合、及び／又は帯電ロール１６に流れる交流電流値Ｉａｃが所定の電流値Ｉａｃ１以上でない場合には、帯電ロール１６に通電する交流の電流値Ｉａｃを、初期電流値Ｉａｃ  ｉｎｉｔｉｌに設定して（ステップ１０９）、プリント動作を実行する（ステップ１１０）。ここで、所定の時刻差は、例えば、１０分〜２０分程度に設定されるが、これに限定されるものではなく、他の値に設定しても良いことは勿論である。
【００５０】
上記ジョブが出力された時刻Ｔ１から現在までの経過時間ΔＴが、所定の時刻差Ｔａ以下でない場合、及び／又は帯電ロール１６に流れる交流電流値Ｉａｃが所定の電流値Ｉａｃ１以上でない場合には、帯電ロール１６に通電する交流の電流値Ｉａｃを、初期電流値Ｉａｃ  ｉｎｉｔｉｌに戻すことによって、図７に示すように、帯電ロール１６に通電した当初の状態となり、白点が発生しない状態とすることができる。
【００５１】
その後、上記ＣＰＵ１００は、プリント動作を実行している間も、計時回路１０３からの情報に基づいて、所定時間おきに、ステップ１０５からステップ１０９までの動作を繰り返し実行するようになっている（ステップ１１０）。
【００５２】
このように、上記タンデム型のデジタルカラー複写機では、図  に示すように、コピー開始信号１０４が出力された時刻、又はプリント開始信号１０５を受信したジョブの出力時刻から所定の時刻差Ｔａ以上経過し、且つ帯電ロール１６に流れる交流電流値Ｉａｃが所定の電流値Ｉａｃ１以上である場合には、帯電ロール１６に通電する交流の電流値Ｉａｃを、交流の電流値Ｉａｃから所定値Ｉａｃ２だけ減算した値に設定するように構成したので、白点の発生を防止することができるとともに、帯電ロール１６に通電する電流値を低減することによって、感光体ドラム１５の表面が放電によって磨耗するのを抑制することが可能となっている。
【００５３】
実施の形態２
図８はこの発明の実施の形態２を示すものであり、前期実施の形態１と同一の部分には同一の符号を付して説明すると、この実施の形態２では、前記画像形成装置が設置された環境の温度及び湿度の少なくとも一方を検知する環境検知手段を備え、前記電流値制御手段は、前記環境検知手段の検知結果に応じて、前記帯電用回転部材に印加する電流値を制御するように構成されている。
【００５４】
すなわち、この実施の形態２では、図８に示すように、デジタルカラー複写機本体１の内部の温度及び湿度を検知する温度・湿度センサ１１０が配置されており、ＣＰＵ１００は、当該温度・湿度センサ１１０の検知結果に基づいて、帯電ロール１６に通電する電流値を制御するように構成されている。
【００５５】
この実施の形態２では、例えば、図９に示すように、温度と湿度により制御領域を分割し（これらの領域は、図示されている温度値や湿度値に限定されるものではない）、領域１、領域２ごとに補正する補正値Ｉａｃ２の値を予め決めておく。これにより、例えば、低温低湿環境下におけるＩａｃの制御を、より精度良く行うことが可能となり、感光体の摩耗を低減することができる。
なお、この実施の形態２では、上記領域１及び２以外では制御を行わない。
【図面の簡単な説明】
【００５６】
【図１】図１はこの発明の実施の形態１に係る画像形成装置としてのタンデム型のデジタルカラー複写機の要部を示す構成図である。
【図２】図２はこの発明の実施の形態１に係る画像形成装置としてのタンデム型のデジタルカラー複写機を示す構成図である。
【図３】図３はこの発明の実施の形態１に係る画像形成装置としてのタンデム型のデジタルカラー複写機の画像形成部を示す構成図である。
【図４】図４はこの発明の実施の形態１に係る画像形成装置としてのタンデム型のデジタルカラー複写機の動作を示すフローチャートである。
【図５】図５は帯電ロールに通電する電流値と感光体ドラムの表面電位の関係を示すグラフである。
【図６】図６は帯電ロールに通電する電流値と時間との関係を示すグラフである。
【図７】図７は帯電ロールに通電する電流値と時間との関係を示すグラフである。
【図８】図８はこの発明の実施の形態２に係る画像形成装置としてのタンデム型のデジタルカラー複写機の要部を示す構成図である。
【図９】図９はこの発明の実施の形態２に係る画像形成装置としてのタンデム型のデジタルカラー複写機における制御領域を示すグラフである。
【図１０】図１０は画像に白点が発生した状態を示す模式図である。
【符号の説明】
【００５７】
１３：画像形成ユニット、１５：感光体ドラム、１６：帯電ロール、１００：ＣＰＵ、１０１：高圧電源回路、１０２：電流検出回路、１０３：計時回路、１０４：コピー開始信号、１０５：プリント開始信号、１０６：表面電位計。
【図１】
2007108493.tif 000003
【図２】
2007108493.tif 000004
【図３】
2007108493.tif 000005
【図４】
2007108493.tif 000006
【図５】
2007108493.tif 000007
【図６】
2007108493.tif 000008
【図７】
2007108493.tif 000009
【図８】
2007108493.tif 000010
【図９】
2007108493.tif 000011
【図１０】
2007108493.tif 000012